(57)【要約】【課題】見栄えがよく、厚く丈夫なダブルカートンの箱体であっても容易に折り畳むことができる箱を提供する。【解決手段】箱は、四つの側板部２ａ、２ｂ、２ｃ、２ｄに囲まれた四角筒状の本体部２と、側板部２ａ、２ｂ、２ｃ、２ｄの両開口端側に、それぞれ延設された一対の内部底蓋フラップ４ｂ、４ｄ及び一対の外部底蓋フラップ４ａ、４ｃと、一対の内部上蓋フラップ３ｂ、３ｄ及び一対の外部上蓋フラップ３ａ、３ｃとを備える箱であって、一対の外部底蓋フラップ４ａ、４ｃの中心線に沿った一本の全抜きミシン目３２、３３と、側縁部の途中から幅が狭くなるように形成された一対の内部底蓋フラップ４ｂ、４ｄと、折り曲げたとき隣り合う外部底蓋フラップ４ａ、４ｃと嵌合する凸部３６を有する内部底蓋フラップ４ｂとを備える。【選択図】図２
2008030806.tif 000002
【特許請求の範囲】
【請求項１】
四つの側板部に囲まれた四角筒状の本体部と、該側板部の一方の開口端側に、延設されたそれぞれ一対の内部及び外部底蓋フラップを備える箱において、
前記一対の外部底蓋フラップは被嵌合部を有しており、
前記一対の内部底蓋フラップの一方は、折り畳んでいくとき前記一対の外部底蓋フラップと隣り合う両側縁部にて前記被嵌合部に嵌合可能な嵌合部を有するように構成してあることを特徴とする箱。
【請求項２】
前記被嵌合部及び嵌合部は、凹凸形状を有することを特徴とする請求項１に記載の箱。
【請求項３】
前記嵌合部は凸形状をなし、前記被嵌合部は、コの字型、Ｕ字型若しくはＶ字型の全抜き切り込み若しくは切り欠き、又は穴であることを特徴とする請求項１又は２に記載の箱。
【請求項４】
前記一対の外部底蓋フラップは、該外部底蓋フラップの中心線に沿って、一本の全抜きミシン目を有することを特徴とする請求項１乃至３のいずれか一つに記載の箱。
【請求項５】
前記側板部の他方の開口端側に、延設されたそれぞれ一対の内部及び外部上蓋フラップを有することを特徴とする請求項１乃至４のいずれか一つに記載の箱。
【請求項６】
前記一対の内部底蓋フラップは、該内部底蓋フラップの両側縁部に、幅が先細に狭くなる傾斜部を有することを特徴とする請求項１乃至５のいずれか一つに記載の箱。
【請求項７】
前記内部底蓋フラップの一方は、前記側板部から延設した前記両側縁部の基部であって、折り畳むとき前記一対の外部底蓋フラップを圧接する位置にて、圧接部を備えていることを特徴とする請求項１乃至６のいずれか一つに記載の箱。
【請求項８】
前記内部底蓋フラップの他方は、前記側板部から延設した前記両側縁部の基部にあって、折り畳んだとき蓋をするように折り曲げ可能に形成した段部を有することを特徴とする請求項１乃至７のいずれか一つに記載の箱。
【請求項９】
前記外部上蓋フラップの一方又は両方は、該外部上蓋フラップの縁端部にて、前記外部上蓋フラップの中心線に対して対称な位置に形成された一対の切り込み片を有し、
前記外部上蓋フラップの一方を折り畳んだとき重なり合う前記一対の内部上蓋フラップが、前記一対の切り込み片に対応した切り込み片をそれぞれ有することを特徴とする請求項５乃至８のいずれか一つに記載の箱。
【請求項１０】
請求項５に記載の箱を折り畳む方法であって、
前記内部及び外部上蓋フラップを前記各側板部に略同一平面をなすように開放した後、前記内部及び外部底蓋フラップを前記各側板部に略同一平面をなすように開放する過程と、
前記一対の外部底蓋フラップを前記本体部の内側に折り込む過程と、
前記嵌合部を有する内部底蓋フラップの一方を前記本体部の内側に折り込む過程と、
前記外部底蓋フラップの全抜きミシン目に沿った線上に、対応する前記側板部及び前記開口端側の一方に延設された外部上蓋フラップを前記本体部内側に折り込む過程と
を備えることを特徴とする箱の折り畳み方法。
【請求項１１】
請求項７に記載の箱を折り畳む方法であって、
前記内部及び外部上蓋フラップを前記各側板部に略同一平面をなすように開放した後、前記内部及び外部底蓋フラップを前記各側板部に略同一平面をなすように開放する過程と、
前記一対の外部底蓋フラップを前記本体部の内側に折り込む過程と、
前記嵌合部を有する内部底蓋フラップの一方を前記本体部の内側に折り込む過程と、
前記外部底蓋フラップの全抜きミシン目に沿った線上に、対応する前記側板部及び前記開口端側の一方に延設された外部上蓋フラップを前記本体部内側に折り込む過程とを備え、
前記一方の内部底蓋フラップを折り込む過程にあって、前記内部底蓋フラップの側縁部に、前記圧接部及び傾斜部を形成していることに対応して、隣り合う前記内部底蓋フラップの圧接部及び前記外部底蓋フラップが当接する位置にて圧接させることを特徴とする箱の折り畳み方法。
【請求項１２】
請求項８に記載の箱を折り畳む方法であって、
前記内部及び外部上蓋フラップを前記各側板部に略同一平面をなすように開放した後、前記内部及び外部底蓋フラップを前記各側板部に略同一平面をなすように開放する過程と、
前記一対の外部底蓋フラップを前記本体部の内側に折り込む過程と、
前記嵌合部を有する内部底蓋フラップの一方を前記本体部の内側に折り込む過程と、
前記外部底蓋フラップの全抜きミシン目に沿った線上に、対応する前記側板部及び前記開口端側の一方に延設された外部上蓋フラップを前記本体部内側に折り込む過程と、
折り込まれて重なった前記本体部に前記内部底蓋フラップの他方を順次曲げて差し込んでいき、前記他方の内部底蓋フラップの段部で蓋をする過程と
を備えることを特徴とする箱の折り畳み方法。
【請求項１３】
請求項９に記載の箱を折り畳む方法であって、
前記内部及び外部上蓋フラップを前記各側板部に略同一平面をなすように開放した後、前記内部及び外部底蓋フラップを前記各側板部に略同一平面をなすように開放する過程と、
前記一対の外部底蓋フラップを前記本体部の内側に折り込む過程と、
前記嵌合部を有する内部底蓋フラップの一方を前記本体部の内側に折り込む過程と、
前記外部底蓋フラップの全抜きミシン目に沿った線上に、対応する前記側板部及び前記開口端側の一方に延設された外部上蓋フラップを前記本体部内側に折り込む過程と、
折り込まれて重なった前記本体部に前記内部底蓋フラップの他方を順次曲げて差し込んでいき、前記他方の内部底蓋フラップの段部で蓋をする過程と、
前記切り込み片を重ねた状態のまま略直角に折り曲げて、折り畳まれた前記一対の外部上蓋フラップに前記一対の内部上蓋フラップを重ねて係止する過程と
を備えることを特徴とする箱の折り畳み方法。
【請求項１４】
前記外部底蓋フラップの全抜きミシン目に沿った線上に折り込む過程にあって、折り畳まれていた前記外部底蓋フラップが前記ミシン目に案内されて前記内部底蓋フラップの一方に接触させていき、前記内部底蓋フラップの嵌合部と、前記外部底蓋フラップの被嵌合部とを嵌合させることを特徴とする請求項１０乃至１３のいずれか一つに記載の箱の折り畳み方法。
【発明の詳細な説明】
【技術分野】
【０００１】
本発明は、容易に折り畳むことができる箱及び箱の折り畳み方法に関する。
【背景技術】
【０００２】
従来から、電化製品を購入した場合、電化製品は例えばダンボール製の包装箱に収納された状態で購入したユーザに渡される。これは、ユーザが購入した電化製品を自宅へ持ち帰る場合、又は電化製品を自宅へ配達する場合等に、電化製品を外部の衝撃から保護すると共に、持ち運びを容易にすることを目的としている。
【０００３】
ユーザは、包装箱から電化製品を取り出した後、包装箱を廃棄する必要がある。包装箱の廃棄を行う場合、包装箱を切る又は破る等していくつかの小片に分割し、別の袋に入れた状態、又は包装箱を無理やり小さく折り畳み、封止テープ又は紐等を用いて折り畳み状態を保持した後で廃棄を行っている。しかし、包装箱を小片に分割する又は小さく折り畳むことは困難で非常に手間のかかる作業であり、包装箱が大きくなるほど廃棄の手間が増大するという問題がある。
【０００４】
特許文献１においては、二組の対向側板と、対向側板の下端に連設された底板形成用フラップと、対向側板の上端に形成された上蓋形成用フラップとを備え、一組の対向側板並びにこれに連設された底板形成用フラップ及び上蓋形成用フラップの中央部で１本の連続する折り曲げ線を形成したダンボール製の包装箱が提案されている。この包装箱を折り畳む場合、他組の一方の対向側板に連設された底板形成用フラップ及び上蓋形成用フラップを、連設する対向側板の内面に重なるように折り曲げ、一組の対向側板に連設された底板形成用フラップ及び上蓋形成用フラップを、連設する対向側板の内面又は外面に重なるように折り曲げ、折り曲げ線が形成された対抗側板、底板形成用フラップ及び上蓋形成用フラップを、折り曲げ線で内側に折り曲げ、他組の他方の対向側板に連設された底板形成用フラップ及び上蓋形成用フラップを、他組の一方の対向側板の内側に差し込んで折り畳む。これにより、包装箱を小さく折り畳むことができ、また、折り畳んだ状態を封止テープ又は紐等を用いずに保持することができる。
【０００５】
また、特許文献２においては、上述の特許文献１に記載の包装箱と同様の構成に加えて、対向側板に包装箱の折り畳み方法示す説明部を設け、折り曲げ線の形成された底板形成用フラップに折り曲げ箇所を明示する指標部を設けた包装箱およびその折り畳み方法が提案されている。
【特許文献１】特開２００４−２３１１９２号公報
【特許文献２】特開２００５−２９１７６号公報
【発明の開示】
【発明が解決しようとする課題】
【０００６】
しかしながら、特許文献１又は特許文献２に示すような従来の包装箱は、他組の一方の対向側板に連設された底板形成用フラップ及び上蓋形成用フラップを、連設する対向側板の内面に重なるように折り曲げる必要があり、対向側板の連設方向の幅が底板形成用フラップ及び上蓋形成用フラップの幅より小さい場合、底板形成用フラップ及び上蓋形成用フラップのいずれか一方のみしか対向側板の内面に重なるように折り曲げられないため、折り畳むことができないという問題がある。
【０００７】
例えば、ビデオデッキ又はＤＶＤプレーヤ等の扁平な直方体状の筐体を有する電化製品の場合、これを包装する包装箱は、対向側板の底板形成用フラップ及び上蓋形成用フラップの連設方向における幅が、底板形成用フラップ及び上蓋形成用フラップの幅より小さいため、特許文献１及び特許文献２に記載の包装箱の構成及び折り畳み方法を適用することができない。
【０００８】
さらに包装箱に折り曲げ線を設ける場合、薄いシングルカートンの場合には柔らかいため箱体の折り畳みは容易であるが、厚く丈夫なダブルカートンの場合には、折り曲げ線から外れて曲がりやすいため、箱体の折り曲げが容易ではない。
また包装箱を折り畳む場合、フラップを内側に折り返す時、フラップの復元力（反発力）で元の状態に復帰し易く、箱体の折り畳みが容易ではない。
【０００９】
本発明は、このような事情に鑑みてなされたものであって、その目的とするところは、箱の蓋を開放して折り畳んでいくとき、折り込まれていた外部底蓋フラップ及び折り込んでいく内部底蓋フラップの一方が嵌合する構造を設けることにより、折り返しの反発力を抑え、容易に折り畳むことができる箱を提供することにある。
【００１０】
また本発明の他の目的とするところは、折り込まれた外部底蓋フラップの被嵌合部及び折り込んでいく内部底蓋フラップの一方の嵌合部が凹凸形状を有することにより、折り畳んでいくときに確実に嵌合できる箱を提供することにある。
【００１１】
さらに本発明の他の目的とするところは、折り込まれた外部底蓋フラップの被嵌合部が凹形状の全抜き切り込み若しくは切り欠き又は穴であり、折り込んでいく内部底蓋フラップの一方の嵌合部が凸形状であるとすることにより、折り畳んでいくときに容易に嵌合できる箱を提供することにある。
【００１２】
本発明の他の目的とするところは、折り畳む方向に沿った全抜きのミシン目を外部底蓋フラップにのみ設けることにより、見栄えがよくて容易に折り畳むことができる箱を提供することにある。
【００１３】
本発明の目的とするところは、一対の内部及び外部上蓋フラップを有することにより、収納物を容易に密閉することができる箱を提供することにある。
【００１４】
本発明の他の目的とするところは、内部底蓋フラップの両側縁部に幅が狭くなるように傾斜部を形成することにより、内部底蓋フラップを折り込んでいくとき折り畳まれていた外部底蓋フラップとの干渉がない箱を提供することにある。
【００１５】
本発明の他の目的とするところは、内部底蓋フラップの一方に圧接部を備えることにより、折り畳まれた外部底蓋フラップの反発力が折り込んでいく内部底蓋フラップの圧接部で釣り合い、折り返した状態を維持できる箱を提供することにある。
【００１６】
本発明の他の目的とするところは、他方の内部底蓋フラップが、箱を折り畳んだとき、折り込まれて重なった本体部に差し込んで、蓋をするように折り曲げ可能に形成した段部を備えていることにより、見栄えよく折り畳み状態を保持できる箱を提供することにある。
【００１７】
本発明の他の目的とするところは、折り畳んだとき重なり合う切り込み片を備えることにより、折り畳んだ状態で重なり合う内部及び外部上蓋フラップを係止できる箱を提供することにある。
【００１８】
本発明の他の目的とするところは、全抜きのミシン目を設けた一対の外部底蓋フラップと、一対の内部底蓋フラップと、一対の外部底蓋フラップ及び一方の内部底蓋フラップに設けた嵌合構造とを備える箱により、厚く丈夫なダブルカートンであっても確実に折り畳み方向を案内して容易に折り畳むことができる箱の折り畳み方法を提供することにある。
【００１９】
本発明の他の目的とするところは、外部底蓋フラップを内側に折り畳んだ後、一方の内部底蓋フラップを折り返していくとき、内部底蓋フラップの幅が狭く形成されている傾斜部で圧接することなく圧接部だけで圧接するようにできる箱の折り畳み方法を提供することにある。
【００２０】
本発明の目的とするところは、折り畳まれた本体部間の隙間に他方の内部底蓋フラップを挿入して内部底蓋フラップの段部で蓋をする形にすることにより、見栄えよく折り畳むことができる箱の折り畳み方法を提供することにある。
【００２１】
本発明の目的とするところは、切り込み片が一対の内部及び外部上蓋フラップを重ねて係止することにより、折り畳み状態を保持できる箱の折り畳み方法を提供することにある。
【００２２】
本発明の他の目的とするところは、外部底蓋フラップをミシン目に沿って側板部とともに内側に折り返していっても、折り返されていた内部底蓋フラップ及び外部底蓋フラップが嵌合することにより、復元する外部底蓋フラップの反発力を抑えることができ、折り畳まれた状態を維持できる箱の折り畳み方法を提供することにある。
【課題を解決するための手段】
【００２３】
本発明の箱は、四つの側板部に囲まれた四角筒状の本体部と、該側板部の一方の開口端側に、延設されたそれぞれ一対の内部及び外部底蓋フラップを備える箱において、前記一対の外部底蓋フラップは被嵌合部を有しており、前記一対の内部底蓋フラップの一方は、折り畳んでいくとき前記一対の外部底蓋フラップと隣り合う両側縁部にて前記被嵌合部に嵌合可能な嵌合部を有するように構成してあることを特徴とする。
【００２４】
このような構成の本発明の箱では、本体部の内側に一対の外部底蓋フラップを折り畳んだ後、嵌合部を有する内部底蓋フラップの一方を折り込み、次に、折り畳んだ外部底蓋フラップを、対応する側板部とともに本体部内側に折り込んでいくと、折り畳まれていた外部底蓋フラップが内部底蓋フラップの一方に接触していき、内部底蓋フラップの一方の嵌合部が一対の外部底蓋フラップの被嵌合部と嵌合する。
【００２５】
本発明の箱は、前記被嵌合部及び嵌合部は、凹凸形状を有することを特徴とする。
【００２６】
このような構成の本発明の箱では、本体部の内側に一対の外部底蓋フラップを折り畳んだ後、嵌合部を有する内部底蓋フラップの一方を折り込み、次に、折り畳んだ外部底蓋フラップを、対応する側板部とともに本体部内側に折り込んでいくと、折り畳まれていた外部底蓋フラップが内部底蓋フラップの一方に接触していき、内部底蓋フラップの一方の凸形状の嵌合部が一対の外部底蓋フラップの凹形状の被嵌合部と確実に嵌合する。
【００２７】
本発明の箱は、前記嵌合部は凸形状をなし、前記被嵌合部は、コの字型、Ｕ字型若しくはＶ字型の全抜き切り込み若しくは切り欠き、又は穴であることを特徴とする。
【００２８】
このような構成の本発明の箱では、本体部の内側に一対の外部底蓋フラップを折り畳んだ後、嵌合部を有する内部底蓋フラップの一方を折り込み、次に、折り畳んだ外部底蓋フラップを、対応する側板部とともに本体部内側に折り込んでいくと、折り畳まれていた外部底蓋フラップが内部底蓋フラップの一方に接触していき、内部底蓋フラップの一方の凸形状の嵌合部が、一対の外部底蓋フラップに、コの字型、Ｕ字型若しくはＶ字型の全抜き切り込み若しくは切り欠き、又は穴で形成された被嵌合部と容易に嵌合する。
【００２９】
本発明の箱は、前記一対の外部底蓋フラップは、該外部底蓋フラップの中心線に沿って、一本の全抜きミシン目を有することを特徴とする。
【００３０】
このような構成の本発明の箱では、内部底蓋フラップ及び外部底蓋フラップを各側板部に略同一平面をなすように開放して、一対の外部底蓋フラップを本体部の内側に折り込み、次に、嵌合部を有する内部底蓋フラップの一方を本体部の内側に折り込んでいき、次いで、外部底蓋フラップの全抜きミシン目に沿った線上に対応する側板部を本体部内側に折り込むことにより、全抜きミシン目が例えば厚く丈夫なダブルカートンの箱体であっても折り畳み方向を案内し、箱体を置いたとき折り畳み線のミシン目が見えない。
【００３１】
本発明の箱は、前記側板部の他方の開口端側に、延設されたそれぞれ一対の内部及び外部上蓋フラップを有することを特徴とする。
【００３２】
このような構成の本発明の箱では、一対の内部及び外部上蓋フラップを閉じることにより、容易に密閉構造を形成する。
【００３３】
本発明の箱は、前記一対の内部底蓋フラップは、該内部底蓋フラップの両側縁部に、幅が先細に狭くなる傾斜部を有することを特徴とする。
【００３４】
このような構成の本発明の箱では、本体部の内側に一対の外部底蓋フラップを折り畳んだ後、内部底蓋フラップの一方を折り込んでいくとき、内部底蓋フラップの幅が狭くなっている傾斜部が、折り畳んだ外部底蓋フラップと接触しないで折り込んでいけるので、内部底蓋フラップは折り畳んでいた外部底蓋フラップと干渉しない。
【００３５】
本発明の箱は、前記内部底蓋フラップの一方は、前記側板部から延設した前記両側縁部の基部であって、折り畳むとき前記一対の外部底蓋フラップを圧接する位置にて、圧接部を備えていることを特徴とする。
【００３６】
このような構成の本発明の箱では、外部底蓋フラップを内側に折り畳んだ後、内部底蓋フラップを折り返していくと、内部底蓋フラップの幅が狭く形成されている傾斜部で外部底蓋フラップを圧接することなく、圧接部だけで折り畳んだ外部底蓋フラップを圧接する。
【００３７】
本発明の箱は、前記内部底蓋フラップの他方は、前記側板部から延設した前記両側縁部の基部にあって、折り畳んだとき蓋をするように折り曲げ可能に形成した段部を有することを特徴とする。
【００３８】
このような構成の本発明の箱では、折り込まれて重なった本体部に他方の内部底蓋フラップを挿入して、折り重なった側板部及び内外部底蓋フラップを係止し、これらの重なり状態が見えないように内部底蓋フラップの段部で蓋をする。
【００３９】
本発明の箱は、前記外部上蓋フラップの一方又は両方は、該外部上蓋フラップの縁端部にて、前記外部上蓋フラップの中心線に対して対称な位置に形成された一対の切り込み片を有し、前記外部上蓋フラップの一方を折り畳んだとき重なり合う前記一対の内部上蓋フラップが、前記一対の切り込み片に対応した切り込み片をそれぞれ有することを特徴とする。
【００４０】
このような構成の本発明の箱では、折り畳んだとき一対の内部上蓋フラップと重なり合う一対の外部上蓋フラップとを切り込み片が係止する。
【００４１】
本発明の箱の折り畳み方法は、前述の箱を折り畳む方法であって、前記内部及び外部上蓋フラップを前記各側板部に略同一平面をなすように開放した後、前記内部及び外部底蓋フラップを前記各側板部に略同一平面をなすように開放する過程と、前記一対の外部底蓋フラップを前記本体部の内側に折り込む過程と、前記嵌合部を有する内部底蓋フラップの一方を前記本体部の内側に折り込む過程と、前記外部底蓋フラップの全抜きミシン目に沿った線上に、前記対応する側板部及び前記開口端側の一方に延設された外部上蓋フラップを前記本体部内側に折り込む過程とを備えることを特徴とする。
【００４２】
このような構成の本発明に係る箱の折り畳み方法では、内部上蓋フラップ及び外部上蓋フラップを各側板部に略同一平面をなすように開放後、内部底蓋フラップ及び外部底蓋フラップを各側板部に略同一平面をなすように開放して、一対の外部底蓋フラップを本体部の内側に折り込む。次に、嵌合部を有する内部底蓋フラップの一方を本体部の内側に折り込む。次いで、外部底蓋フラップの全抜きミシン目に沿った線上に対応する側板部及び外部上蓋フラップを、本体部内側に折り込む。
【００４３】
本発明の箱の折り畳み方法は、前述の箱を折り畳む方法であって、前記内部及び外部上蓋フラップを前記各側板部に略同一平面をなすように開放した後、前記内部及び外部底蓋フラップを前記各側板部に略同一平面をなすように開放する過程と、前記一対の外部底蓋フラップを前記本体部の内側に折り込む過程と、前記嵌合部を有する内部底蓋フラップの一方を前記本体部の内側に折り込む過程と、前記外部底蓋フラップの全抜きミシン目に沿った線上に、対応する前記側板部及び前記開口端側の一方に延設された外部上蓋フラップを前記本体部内側に折り込む過程とを備え、前記一方の内部底蓋フラップを折り込む過程にあって、前記内部底蓋フラップの側縁部に、前記圧接部及び傾斜部を形成していることに対応して、隣り合う前記内部底蓋フラップの圧接部及び前記外部底蓋フラップが当接する位置にて圧接させることを特徴とする。
【００４４】
このような構成の本発明に係る箱の折り畳み方法では、内部上蓋フラップ及び外部上蓋フラップを各側板部に略同一平面をなすように開放後、内部底蓋フラップ及び外部底蓋フラップを各側板部に略同一平面をなすように開放して、一対の外部底蓋フラップを本体部の内側に折り込み、次に、嵌合部を有する内部底蓋フラップの一方を本体部の内側に折り込んで、次いで、外部底蓋フラップの全抜きミシン目に沿った線上に対応する側板部及び外部上蓋フラップを、本体部内側に折り込むが、外部底蓋フラップを内側に折り畳んだ後、一方の内部底蓋フラップを折り返していくと、内部底蓋フラップの幅が狭く形成されている傾斜部で外部底蓋フラップを圧接することなく圧接部だけで圧接する。
【００４５】
本発明の箱の折り畳み方法は、前述の箱を折り畳む方法であって、前記内部及び外部上蓋フラップを前記各側板部に略同一平面をなすように開放した後、前記内部及び外部底蓋フラップを前記各側板部に略同一平面をなすように開放する過程と、前記一対の外部底蓋フラップを前記本体部の内側に折り込む過程と、前記嵌合部を有する内部底蓋フラップの一方を前記本体部の内側に折り込む過程と、前記外部底蓋フラップの全抜きミシン目に沿った線上に、対応する前記側板部及び前記開口端側の一方に延設された外部上蓋フラップを前記本体部内側に折り込む過程と、折り込まれて重なった前記本体部に前記内部底蓋フラップの他方を順次曲げて差し込んでいき、前記他方の内部底蓋フラップの段部で蓋をする過程とを備えることを特徴とする。
【００４６】
このような構成の本発明に係る箱の折り畳み方法では、内部上蓋フラップ及び外部上蓋フラップを各側板部に略同一平面をなすように開放後、内部底蓋フラップ及び外部底蓋フラップを各側板部に略同一平面をなすように開放して、一対の外部底蓋フラップを本体部の内側に折り込み、次に、嵌合部を有する内部底蓋フラップの一方を本体部の内側に折り込んで、次いで、外部底蓋フラップの全抜きミシン目に沿った線上に対応する側板部及び外部上蓋フラップを、本体部内側に折り込み、そして、折り込まれて重なった本体部に他方の内部底蓋フラップを順次曲げて差し込んでいき、最後に他方の内部底蓋フラップの段部で蓋をする。
【００４７】
本発明の箱の折り畳み方法は、前述の箱を折り畳む方法であって、前記内部及び外部上蓋フラップを前記各側板部に略同一平面をなすように開放した後、前記内部及び外部底蓋フラップを前記各側板部に略同一平面をなすように開放する過程と、前記一対の外部底蓋フラップを前記本体部の内側に折り込む過程と、前記嵌合部を有する内部底蓋フラップの一方を前記本体部の内側に折り込む過程と、前記外部底蓋フラップの全抜きミシン目に沿った線上に、対応する前記側板部及び前記開口端側の一方に延設された外部上蓋フラップを前記本体部内側に折り込む過程と、折り込まれて重なった前記本体部に前記内部底蓋フラップの他方を順次曲げて差し込んでいき、前記他方の内部底蓋フラップの段部で蓋をする過程と、前記切り込み片を重ねた状態のまま略直角に折り曲げて、折り畳まれた前記一対の外部上蓋フラップに前記一対の内部上蓋フラップを重ねて係止する過程とを備えることを特徴とする。
【００４８】
このような構成の本発明に係る箱の折り畳み方法では、内部上蓋フラップ及び外部上蓋フラップを各側板部に略同一平面をなすように開放後、内部底蓋フラップ及び外部底蓋フラップを各側板部に略同一平面をなすように開放して、一対の外部底蓋フラップを本体部の内側に折り込み、次に、嵌合部を有する内部底蓋フラップの一方を本体部の内側に折り込んで、次いで、外部底蓋フラップの全抜きミシン目に沿った線上に対応する側板部及び外部上蓋フラップを、本体部内側に折り込み、そして、折り込まれて重なった本体部に他方の内部底蓋フラップを順次曲げて差し込んでいき、他方の内部底蓋フラップの段部で蓋をして、最後に、略直角に折り曲げた切り込み片を係合させて、一対の外部上蓋フラップと一対の内部上蓋フラップとを重ねて係止する。
【００４９】
本発明の箱の折り畳み方法は、前記外部底蓋フラップの全抜きミシン目に沿った線上に折り込む過程にあって、折り畳まれていた前記外部底蓋フラップが前記ミシン目に案内されて前記内部底蓋フラップの一方に接触させていき、前記内部底蓋フラップの嵌合部と、前記外部底蓋フラップの被嵌合部とを嵌合させることを特徴とする。
【００５０】
このような構成の本発明に係る箱の折り畳み方法では、外部底蓋フラップがミシン目に案内されて側板部とともに曲がっていくにつれて、折れ曲がった外部底蓋フラップが反発力により一方の内部底蓋フラップに接近していき、内部底蓋フラップの嵌合部と、外部底蓋フラップの被嵌合部とが嵌合する。
【発明の効果】
【００５１】
本発明の箱は、内部底蓋フラップの一方の嵌合部が一対の外部底蓋フラップの被嵌合部と嵌合するので、内側底蓋フラップの一方を内側に折り返しても一対の外部底蓋フラップの反発力を抑えることができ、容易に折り畳むことができるという効果を有する。
【００５２】
本発明の箱は、内側底蓋フラップの嵌合部と外部底蓋フラップの被嵌合部とが凹凸形状を有するので、確実に嵌合することができるという効果を有する。
【００５３】
本発明の箱は、凸形状の嵌合部に対して、被嵌合部がコの字型切り込み形状、全抜きの切り込み形状及び穴であるので、容易に嵌合することができるという効果を有する。
【００５４】
本発明の箱は、全抜きのミシン目が折り畳み方向の案内をするので、例えば丈夫なダブルカートンの箱体であっても、折り畳みが容易にできるという効果を有する。
さらに全抜きミシン目を外部底蓋フラップに設けているので、箱を組み立てて置いたとき、ミシン面が見えず、見栄えがよくなる。
【００５５】
本発明の箱は、内部及び外部上蓋フラップを閉じることにより、容易に密閉構造を形成することができるという効果を有する。
【００５６】
本発明の箱は、内部底蓋フラップの側縁部に幅が先細に狭くなる傾斜部を有するので、折り畳むとき、内部底蓋フラップの一方は折り畳まれていた外部底蓋フラップと干渉することがなく、また内部底蓋フラップの他方は折り畳まれた側板部間の隙間に容易に挿入することができるという効果を有する。
【００５７】
本発明の箱は、折り畳んだとき隣り合う内部底蓋フラップ及び一対の外部底蓋フラップ同士が当接し、圧接部で圧接するので、隣り合う両フラップの反発力が釣り合い、折り返した状態を維持できるという効果を有する。
【００５８】
本発明の箱は、見栄えよく折り畳んだ状態に保持できるという効果を有する。
【００５９】
本発明の箱は、折り畳んだ状態で一対の内部上蓋フラップ及び折り込んだ一対の外部上蓋フラップを係止できるという効果を有する。
【００６０】
さらに本発明に係る箱の折り畳み方法は、確実に折り畳み方向を案内して、容易に箱体の内側に折り返した状態を維持して折り畳むことができるという効果を有する。
【００６１】
本発明に係る箱の折り畳み方法は、外部底蓋フラップを内側に折り畳んだ後、一方の内部底蓋フラップを折り返していくと、内部底蓋フラップの幅が狭く形成されている傾斜部で圧接することなく圧接部だけで圧接するので、折り畳まれていた外部底蓋フラップの反発力が、折り返していく内部底蓋フラップの圧接部での押圧力と釣り合い、容易に折り返した状態を維持できるという効果を有する。
【００６２】
本発明に係る箱の折り畳み方法は、折り畳まれた本体部間の隙間に他方の内部底蓋フラップを挿入して内部底蓋フラップの段部で蓋をする形になるので、見栄えよく折り畳むことができるという効果を有する。
【００６３】
本発明に係る箱の折り畳み方法は、切り込み片が一対の内部及び外部上蓋フラップを重ねて係止するので、折り畳み状態を保持できるという効果を有する。
【００６４】
本発明に係る箱の折り畳み方法は、外部底蓋フラップを側板部とともに内側に折り返していっても、折り返されていた内部底蓋フラップ及び外部底蓋フラップが嵌合するので、外部底蓋フラップの反発力を抑えることができ、折り畳まれた状態を維持できるという効果を有する。
【発明を実施するための最良の形態】
【００６５】
以下、図面に基づき、本発明による箱の好適な実施の形態を詳細に説明する。
図１は、本発明の実施の形態に係る箱の上蓋を閉じた状態を示す斜視図であり、図２は箱の上蓋を開いた状態を示す斜視図である。図示の箱は、扁平な略直方体をなすダンボール製の箱であり、例えばビデオデッキ又はＤＶＤプレーヤ等の被収納物を収納するために用いることができる。
【００６６】
本実施の形態に係る箱は、略長方形上の側板部２ａ、２ｂ、２ｃ、２ｄより構成される四角筒状の本体部２と、上蓋フラップ３と、底蓋フラップ４とを備える。
本体部２において、側板部２ａ及び２ｃが対向し、側板部２ｂ及び２ｄが対向し、また、側板部２ｂ及び２ｄは側板部２ａ及び２ｃより面積が小さい。
【００６７】
側板部２ａ、２ｂ、２ｃ、２ｄの一開口端側にはそれぞれ底蓋フラップ４を構成する外部底蓋フラップ４ａ、４ｃ及び内部底蓋フラップ４ｂ、４ｄが延設され、他開口端側にはそれぞれ上蓋フラップ３を構成する外部上蓋フラップ３ａ、３ｃ及び内部上蓋フラップ３ｂ、３ｄが延設されている。
内部底蓋フラップ４ｂ、４ｄを本体部２の内側方向へ折り曲げ、次いで外部底蓋フラップ４ａ、４ｃを本体部２の内側方向へ折り曲げて本体部２の一側の開口を閉じ、対向する外部底蓋フラップ４ａ及び外部底蓋フラップ４ｃの縁部分を封止テープ１２で固定することにより、外部底蓋フラップ４ａ、４ｃ及び内部底蓋フラップ４ｂ、４ｄを本体部２の一側の開口を封止する底蓋として利用することができる。
【００６８】
同様に、一側の開口を封止して本体部２内に被収納物を収納した後、内部上蓋フラップ３ｂ、３ｄを本体部２の内側方向へ折り曲げ、次いで外部上蓋フラップ３ａ、３ｃを本体部２の内側方向へ折り曲げて本体部２の他側の開口を閉じ、対向する外部上蓋フラップ３ａ及び外部上蓋フラップ３ｃの縁部分を封止テープ１１で固定することにより、外部上蓋フラップ３ａ、３ｃ及び内部上蓋フラップ３ｂ、３ｄを本体部２の他側の開口を封止する上蓋として利用することができる。
【００６９】
また、外部上蓋フラップ３ｃ及び内部上蓋フラップ３ｂ、３ｄには、長辺側の縁部分にそれぞれ後述する切り込み片５ｂ、５Ｃ１、５Ｃ２、５ｄが形成されている。
【００７０】
図３は、本発明の実施の形態に係る箱の構成を示す展開図である。
箱はダンボール板を切断して図３に示す形状に形成し、更に図３中の破線で示す折り曲げ線２１ａ、２１ｂ、２１ｃ、２１ｄ、２２ａ、２２ｂ、２２ｃ、２２ｄ、２３ａ、２３ｂ、２３ｃ、２３ｄを形成したものである。
【００７１】
箱を展開した場合、本体部２は略長方形であり、略平行に形成された３つの折り曲げ線２１ｂ、２１ｃ、２１ｄにより、側板部２ａ、２ｂ、２ｃ、２ｄをなす４つの面に分けられている。
なお、折り曲げ線２１ｂは側板部２ａ及び２ｂの境界をなし、折り曲げ線２１ｃは側板部２ｂ及び２ｃの境界をなし、折り曲げ線２１ｄは側板部２ｃ及び２ｄの境界をなす。
また、側板部２ａ、２ｂ、２ｃ、２ｄは、折り曲げ線２１ｂ、２１ｃ、２１ｄが略長方形をなす側板部２ａ、２ｂ、２ｃ、２ｄの短辺であり、略長方形をなす側板部２ａ及び２ｃの長辺の長さは、略長方形をなす側板部２ｂ及び２ｄの長辺の長さより長い。
【００７２】
本体部２の側板部２ａ端部の短辺には、略台形の接続片６が延設されており、側板部２ａ及び接続片６の境界に折り曲げ線２１ａが形成されている。折り曲げ線２１ａは、折り曲げ線２１ｂ、２１ｃ、２１ｄと略平行である。
【００７３】
側板部２ａ、２ｂ、２ｃ、２ｄの長辺には、それぞれ外部上蓋フラップ３ａ、３ｃ及び内部上蓋フラップ３ｂ、３ｄと、外部底蓋フラップ４ａ、４ｃ及び内部底蓋フラップ４ｂ、４ｄがそれぞれ延設されており、境界に折り曲げ線２２ａ、２２ｂ、２２ｃ、２２ｄ及び折り曲げ線２３ａ、２３ｂ、２３ｃ、２３ｄがそれぞれ形成されている。
外部上蓋フラップ３ａ、３ｃ及び内部上蓋フラップ３ｂ、３ｄは、折り曲げ線２２ａ、２２ｂ、２２ｃ、２２ｄ側が略長方形の長辺側であり、外部底蓋フラップ４ａ、４ｃ及び内部底蓋フラップ４ｂ、４ｄは、折り曲げ線２３ａ、２３ｂ、２３ｃ、２３ｄ側が長辺側である。
また、外部上蓋フラップ３ａ、３ｃ、内部上蓋フラップ３ｂ、３ｄ及び外部底蓋フラップ４ａ、４ｃ、内部底蓋フラップ４ｂ、４ｄの短辺の長さは略等しく、小さい方の側板部２ｂ及び２ｄの長辺の長さの略半分程度である。
【００７４】
また内部上蓋フラップ３ｂの長辺側の縁部分には、折り曲げ線２１ｃとスリット８の中心線を通る図３のＡ−Ａ線に隣接して切り込み片５ｂが形成され、外部上蓋フラップ３ｃの長辺側の縁部分には、外部上蓋フラップ３ｃ、側板部２ｃ及び外部底蓋フラップ４ｃの中心線となる図３のＢ−Ｂ線に対して対称の位置に切り込み片５Ｃ１及び５Ｃ２が形成され、内部上蓋フラップ３ｄの長辺側の縁部分には、折り曲げ線２１ｄとスリット９の中心線を通る図３のＣ−Ｃ線に隣接して切り込み片５ｄが形成されている。
【００７５】
切り込み片５ｂ及び切り込み片５Ｃ１は折り曲げ線２１ｃとスリット８の中心線を通る図３のＡ−Ａ線に対して、即ちスリット８を挟んで対称の位置に、また切り込み片５Ｃ２及び切り込み片５ｄは図３のＣ−Ｃ線に対して、即ちスリット９を挟んで対称の位置に形成されている。
切り込み片５ｂ及び切り込み片５Ｃ１の中心線間の距離と、切り込み片５Ｃ２及び切り込み片５ｄの中心線間の距離とは等しく、これらの距離は切り込み片５Ｃ１及び切り込み片５Ｃ２の中心線間の距離よりも短い。
切り込み片５ｂ、５Ｃ１、５Ｃ２、５ｄは、外部上蓋フラップ３ｃ及び内部上蓋フラップ３ｂ、３ｄの長辺側の縁部へ向けて間隔が広がる末広がりの略八字型になるように二つの切り込みを入れることで形成される台形状である。
【００７６】
なお、この切り込み片の形状は末広がりの略八字型に限られず、折り曲げて係止可能な形状であればよい。また切り込み片は、予め切り込みを形成しておくのではなく、ミシン目の破断線を形成しておき、箱を折り畳むときに破断線に沿って切り込みを形成するようにしてもよい。
【００７７】
外部底蓋フラップ４ａ、４ｃは略長方形状であり、この一対の外部底蓋フラップ４ａ、４ｃのそれぞれの中心線に沿って一本の全抜きのミシン目３２、３３が設けられており、ミシン目３２、３３の延長線上の側板部２ａ、２ｃに折り位置を示すマーク５０がそれぞれ印字又は貫通孔として形成されている。
【００７８】
内部底蓋フラップ４ｂの側縁部３９は延設方向に幅が先細に狭くなるように傾斜部が形成されている。この傾斜部は、側板部２ｂから延設された基部３８の図３に示すＱの位置から端縁部３４へ向かってテーパー状になっており、位置Ｑから端縁部３４へ至る傾斜部の一部に凸部３６、３７が形成されている。凸部３６及び凸部３７は、内部底蓋フラップ４ｂの中心線に対して対称の位置に形成されている。
側縁部３９の一部をなす基部３８は、内部底蓋フラップ４ｂの圧接部３８であり、箱を折り畳むときに外部底蓋フラップ４ａ、４ｃと接触する位置で圧接する部分である。
内部底蓋フラップ４ｂの凸部３６、３７に対応して、外部底蓋フラップ４ａ、４ｃには各凸部３６、３７に対向するコの字型切り込み部４２、４４が嵌合可能に形成されている。
【００７９】
内部底蓋フラップ４ｄには、両側縁部４３において側板部２ｄから延設された基部にあって図３に示すＰ１の位置で段差が形成されることにより、段部４５が形成されている。この段差の位置Ｐ１から端縁部４６へ向かって、内部底蓋フラップ４ｄの幅が先細に狭くテーパー状に形成されている。
内部底蓋フラップ４ｄでは側縁部４３の位置Ｐ２で辺の傾斜角を変えて大きく傾斜するようにしているが、傾斜角を複数回適宜変えて形成するようにしてもよい。
なお、図３の内部底蓋フラップ４ｄにおける２点鎖線４７は箱を折り畳むときの折り曲げ線を示す。
【００８０】
図３に示した折り曲げ線２１ａ、２１ｂ、２１ｃ、２１ｄ、２２ａ、２２ｂ、２２ｃ、２２ｄ、２３ａ、２３ｂ、２３ｃ、２３ｄに従ってダンボールを折り曲げ、接続片６を本体部２の側板部２ｄ側の短辺部分に接着剤又は金具等を用いて接続することで、四つの側板部２ａ、２ｂ、２ｃ、２ｄに囲まれた四角筒状の本体部２を形成し、底蓋フラップ４で底に蓋をして箱体にし、上蓋フラップ３で蓋をすることにより図１に示す箱となる。
【００８１】
このような構成の本実施の形態に係る箱では、折り畳み方向を案内する全抜きのミシン目を外部底蓋フラップに設けているので、箱体を置いたとき折り畳み線のミシン目が見えず、見栄えがよい。
【００８２】
次に本実施の形態に係る箱の折り畳み方法について、図２、図４〜図１０を参照して説明する。
先ず、テープ１１をはがして箱を空にし（図２を参照）、外部上蓋フラップ３ａ、３ｃ及び内部上蓋フラップ３ｂ、３ｄを、各側板部２ａ、２ｂ、２ｃ、２ｄと略同一平面をなすように上方に開放する（図４を参照）。
【００８３】
次に箱を横にしてテープ１２をはがして外部底蓋フラップ４ａ、４ｃ及び内部底蓋フラップ４ｂ、４ｄを開放した後（図５を参照）、大きい方の外部底蓋フラップ４ａ、４ｃの二枚を本体部２の内側に折り込み（図５及び図６を参照）、次いで、小さい方の内部底蓋フラップ４ｂを本体部２の内側に折り込む（図６を参照）。
【００８４】
内部底蓋フラップ４ｂを折り込んでいくとき、外部底蓋フラップ４ａ及び外部底蓋フラップ４ｃと接触する部分が、内部底蓋フラップ４ｂの両側縁部３９に形成された圧接部３８だけであるので、この圧接部３８、３８での押圧力が外部底蓋フラップ４ａ、４ｃの反発力と釣り合い、容易になめらかに折り曲げることができる。この圧接部３８により外部底蓋フラップ４ａ、４ｃが側板部２ａ、２ｃに押さえつけられ、折り返した状態が維持される。
【００８５】
そして、図７に示すように、マーク５０の位置を通る側板部２ｃの中心線５１上を押して折ると、折り畳まれていた外部底蓋フラップ４ｃのミシン目３３に案内されて内側に折り込まれていく。同様にして、反対の面もマーク５０の位置を通る側板部２ａの中心線上を押して折ると、折り畳まれていた外部底蓋フラップ４ａのミシン目３２に案内され内側に折り込まれていく。
【００８６】
このようにしてＭ字状に折り畳んでいくと、ミシン目３２、３３を境にして折れている外部底蓋フラップ４ａ、４ｃが折り畳まれていた内部底蓋フラップ４ｂに接近して接触し、凸部３６とコの字型切り込み部４２とが嵌合し、また凸部３７とコの字型切り込み部４４とが嵌合する。
本実施の形態では、外部底蓋フラップ４ａ、４ｃを内側に折り返していても、Ｍ字状に折り畳むとき、外部底蓋フラップ４ａ、４ｃは内部底蓋フラップ４ｂに接近して開きかげんになってくることにより内部底蓋フラップ４ｂに当接するが、当接する内部底蓋フラップ４ｂの側縁部３９がテーパー状になっているため、単に当接するだけで圧接することはない。
さらにＭ字状に折り畳んでいくとき、外部底蓋フラップ４ａ、４ｃの被嵌合部が内部底蓋フラップ４ｂの嵌合部と嵌合するので、外部底蓋フラップ４ａ、４ｃの反発力を抑えることができ、折り畳まれた状態を維持できる。
【００８７】
そして、図８に示すように、内部底蓋フラップ４ｄの面を下にして押しつぶし、折り畳まれて重なった側板部２ｂと側板部２ａ、２ｃとの間に、内部底蓋フラップ４ｄを折り曲げ線４７に沿って順次曲げて差し込んでいく。このようにして内部底蓋フラップ４ｄの段部４５で蓋をした形になる（図９参照）。
最後に、図１０に示すように、重なっている切り込み片５ｂ、５Ｃ１、５Ｃ２、５ｄを重ねた状態のまま略直角に折り曲げ、折り畳まれた外部上蓋フラップ３ａ、３ｃに内部上蓋フラップ３ｂ、３ｄを重ねて係止する。
【００８８】
このように本実施の形態に係る箱の折り畳み方法は、確実に折り畳み方向を案内して、容易に箱体の内側に折り返した状態を維持して折り畳むことができ、また折り畳んだ箱を見栄えよく折り畳み状態を保持できる。
【００８９】
本実施の形態では、内部底蓋フラップ４ｂの凸部３６、３７及び外部底蓋フラップ４ａ、４ｃのコの字型切り込み部４２、４４が嵌合する構造であるが、嵌合構造は嵌合可能であれば種々の嵌合形状を適用することができる。
図１１は嵌合構造の変形例を示す概略図である。
図１１（ａ）に示す嵌合形状は、内部底蓋フラップ４ｂに設けられた凸部５３の縁部が平坦に形成されていることに対応して、切り込み形状の凹部５４を設けたものであり、図１１（ｂ）に示す嵌合形状は、凸部３６、３７及び凸部５３のいずれにも対応した穴５６を設けたものである。
なお、図３に示す凸部３６、３７は、縁部がテーパー状に形成されているが、特にテーパー状である必要はなく、図１１（ａ）に示す凸部５３のように平坦な形状であってもよい。
【００９０】
なお、本実施の形態に係る箱は、電化製品以外の物品を収納するものにも適用でき、また箱の形状が直方体のものを例にあげたが立方体でもよい。
【産業上の利用可能性】
【００９１】
以上のように、本発明に係る箱は、厚く丈夫なダブルカートンでも折り畳みが容易な構造で、折り畳んだ状態を保持することができるので、省スペースで廃棄できる箱として極めて有用である。
【図面の簡単な説明】
【００９２】
【図１】本発明の実施の形態に係る箱の上蓋を閉じた状態を示す斜視図である。
【図２】本発明の実施の形態に係る箱の上蓋を開いた状態を示す斜視図である。
【図３】本発明の実施の形態に係る箱の構成を示す展開図である。
【図４】本発明の実施の形態に係る箱の折り畳み方法を示す斜視図である。
【図５】本発明の実施の形態に係る箱の折り畳み方法を示す斜視図である。
【図６】本発明の実施の形態に係る箱の折り畳み方法を示す斜視図である。
【図７】本発明の実施の形態に係る箱の折り畳み方法を示す斜視図である。
【図８】本発明の実施の形態に係る箱の折り畳み方法を示す斜視図である。
【図９】本発明の実施の形態に係る箱の折り畳み方法を示す斜視図である。
【図１０】本発明の実施の形態に係る箱の折り畳み方法を示す斜視図である。
【図１１】嵌合構造の変形例を示す概略図である。
【符号の説明】
【００９３】
２  本体部
２ａ、２ｂ、２ｃ、２ｄ  側板部
３  上蓋フラップ
３ａ、３ｃ  外部上蓋フラップ
３ｂ、３ｄ  内部上蓋フラップ
４  底蓋フラップ
４ａ、４ｃ  外部底蓋フラップ
４ｂ、４ｄ  内部底蓋フラップ
５ｂ、５Ｃ１、５Ｃ２、５ｄ  切り込み片
３２、３３  ミシン目
３４  端縁部
３６、３７、５３  凸部
３８  圧接部
３９、４３  側縁部
４２、４４  コの字型切り込み部
４５  段部
５４  凹部
５６  穴
【図１】
2008030806.tif 000003
【図２】
2008030806.tif 000004
【図３】
2008030806.tif 000005
【図４】
2008030806.tif 000006
【図５】
2008030806.tif 000007
【図６】
2008030806.tif 000008
【図７】
2008030806.tif 000009
【図８】
2008030806.tif 000010
【図９】
2008030806.tif 000011
【図１０】
2008030806.tif 000012
【図１１】
2008030806.tif 000013